(57)【要約】【課題】  設定値の変更を行う際に使用されるキーシリンダに異物を挿入することによって不正に設定値を設定するゴト行為を防止する。【解決手段】  パスワード入力装置から送信されたパスワードが間違っている場合は、ソレノイド５０は駆動されず、操作選択シャッター５１は閉じ位置で保持される。これにより、操作選択シャッター５１はロックされた状態となる。パスワード入力装置から送信されたパスワードが正しい場合、ソレノイド５０が駆動されて駆動鉄心５０ａがソレノイド５０内に引き込まれ、操作選択シャッター５１は閉じ位置から開き位置に移動する【選択図】        図６
2005323932.tif 000002
【特許請求の範囲】
【請求項１】
遊技を行うことを可能にする遊技実行処理を実行する遊技実行処理装置と、遊技者に利益を付与する複数の確率のそれぞれに対応づけられた複数の設定値のいずれかを設定するための操作を行う設定選択操作部を有し、前記設定選択操作部で設定された設定値を前記遊技実行処理装置に入力する設定選択装置とを備えた遊技機において、
前記設定選択操作部を覆い、前記設定選択操作部の操作を不能にする閉じ位置と、前記設定選択操作部を露呈し、前記設定選択操作部の操作を可能にする開き位置との間で、前記遊技実行処理装置に移動自在に取り付けられた操作選択蓋と、
前記操作選択蓋を前記閉じ位置でロックする蓋ロック装置と、
前記蓋ロック操作装置によるロックを解除するためのパスワードが入力されるパスワード入力装置と、
前記パスワード入力装置が接続され、前記パスワード入力装置により入力されたパスワードが正しい場合に、前記蓋ロック装置によるロックが解除されるように、前記蓋ロック装置の駆動を制御する蓋ロック制御装置とを備えたことを特徴とする遊技機。
【請求項２】
蓋ロック制御装置は、前記操作選択蓋が閉じ位置に移動したことに応答して前記操作選択蓋をロックすることを特徴とする請求項１記載の遊技機。
【請求項３】
前記蓋ロック制御装置は、前記操作選択蓋が前記開き位置に位置することを示す信号及び前記操作選択蓋が前記閉じ位置に位置することを示す信号の少なくとも何れか一方の信号を前記遊技実行処理装置に入力し、前記遊技実行処理装置は、前記蓋ロック制御装置から入力された信号に応答して、前記操作選択蓋が前記開き位置に位置することを判定した場合に、前記遊技実行処理を中止することを特徴とする請求項１又は２記載の遊技機。
【請求項４】
遊技を行うことを可能にする遊技実行処理を実行する遊技実行処理装置と、遊技者に利益を付与する複数の確率のそれぞれに対応づけられた複数の設定値のいずれかを設定するための操作を行う設定選択操作部を有し、前記設定選択操作部で設定された設定値を前記遊技実行処理装置に入力する設定選択装置とを備えた遊技機に用いられ、
前記設定選択操作部を覆い、前記設定選択操作部の操作を不能にする閉じ位置と、前記設定選択操作部を露呈し、前記設定選択操作部の操作を可能にする開き位置との間で、前記遊技実行処理装置に移動自在に取り付けられる操作選択蓋と、
前記操作選択蓋が前記閉じ位置から前記開き位置に移動することが不能となるように、前記操作選択蓋を前記閉じ位置でロックする蓋ロック装置と、
前記蓋ロック操作装置によるロックを解除するためのパスワードが入力されるパスワード入力装置と、
前記パスワード入力装置が接続され、前記パスワード入力装置により入力されたパスワードが正しい場合に、前記蓋ロック装置によるロックが解除されるように、前記蓋ロック装置の駆動を制御する蓋ロック制御装置とを備えたことを特徴とする設定選択許可装置。
【発明の詳細な説明】
【技術分野】
【０００１】
本発明は、スロットマシン、パチンコ機等の遊技機及び遊技機のペイアウト率と対応する設定値の選択を行うことを可能又は不能にする設定選択許可装置に関するものである。
【背景技術】
【０００２】
本明細書中では遊技機の１つとしてパチスロ機を例に挙げて説明しているため、遊技媒体としてメダルを用いて説明するが、遊技媒体としてはコインやパチンコ玉など他の媒体も含む。また、「メダル（遊技媒体）投入」には、実際にメダル投入口にメダルを投入することの他に、クレジットされたメダルをベットボタンなどによりベットすることを含む。さらに、図柄を入賞有効ライン上に揃えた状態を入賞、入賞となる前の状態で、当選役を決定する抽選（以下、当選役抽選と称する）により当選役が抽選されている状態を内部入賞とする。
【０００３】
パチンコ店などの遊技場に設置して使用されるスロットマシンはパチスロ機と称され、その遊技媒体となっているメダルに一定の価値が与えられて、遊技を行って獲得したメダルを種々の景品に交換することができる。
【０００４】
パチスロ機では、遊技の際にメダルが払い出される確率はペイアウト率と称されている。一般に、パチスロ機ではペイアウト率は互いにその確率が異なるように複数種類設定されている。ペイアウト率が変更されると、例えば当選役の当選確率やハズレの当選確率が変化して、遊技者に利益が付与される確率が変動する。各ペイアウト率は設定値と称する値に１対１で対応づけられており、この設定値を選択することによってパチスロ機のペイアウト率の選択を行うことが可能になる。そして、設定値を各パチスロ機ごとに設定し、また、これを変更することによって、遊技場にとっては営業上の利益を確保することができ、遊技者にとっては公平に遊技を行うことができるメリットがある。さらに、遊技者にとってはペイアウト率の高い設定値が設定されたパチスロ機を推測する楽しみもあるため、遊技の興趣を盛り上げる点でも設定値は重要なものとなっている。
【０００５】
設定値を設定する場合は、変更の際に用いられる鍵である設定選択キーを、この設定選択キーに対応したキーシリンダに差し込んで回転させる。そして、パチスロ機の電源をＯＮにすると、設定値を選択する設定値選択ボタンの操作が有効化され、設定値を設定することが可能な状態となる。設定値選択ボタンが押下されて選択された設定値は所定の設定値表示手段から表示され、表示された設定値を視認しながら設定値の選択は行われる。設定値の設定は、パチスロ機の前面に設けられた前面扉の施錠を解除しないと行うことができないため、前面扉を施錠を解除するドアキー及び設定選択キーを遊技場の従業員のみが所有すれば、遊技者など遊技場以外の者によって任意に設定値の変更が行われてしまうことを防止できる。
【発明の開示】
【発明が解決しようとする課題】
【０００６】
ところで、例えば、キーシリンダに針金などの異物を差し込んだり、予め複製した設定選択キーを用いて不正に設定値を変更する、いわゆる、ゴト行為が行われることが問題となっている。不正に設定値を設定するゴト行為は年々悪質さを増しており、遊技場の利益の損失は大きくなる一方であり、また、遊技が公平に行われないことは遊技者のスロットマシンへの興味を失わせる一因となっていた。
【０００７】
本発明は、設定値の変更を行う際に使用されるキーシリンダに異物を挿入することによって不正に設定値を設定するゴト行為を防止することができる遊技機及び設定選択許可装置を提供することを目的とする。
【課題を解決するための手段】
【０００８】
本発明の遊技機は、遊技を行うことを可能にする遊技実行処理を実行する遊技実行処理装置と、遊技者に利益を付与する複数の確率のそれぞれに対応づけられた複数の設定値のいずれかを設定するための操作を行う設定選択操作部を有し、前記設定選択操作部で設定された設定値を前記遊技実行処理装置に入力する設定選択装置とを備えた遊技機において、前記設定選択操作部を覆い、前記設定選択操作部の操作を不能にする閉じ位置と、前記設定選択操作部を露呈し、前記設定選択操作部の操作を可能にする開き位置との間で、前記遊技実行処理装置に移動自在に取り付けられた操作選択蓋と、前記操作選択蓋を前記閉じ位置でロックする蓋ロック装置と、前記蓋ロック操作装置によるロックを解除するためのパスワードが入力されるパスワード入力装置と、前記パスワード入力装置が接続され、前記パスワード入力装置により入力されたパスワードが正しい場合に、前記蓋ロック装置によるロックが解除されるように、前記蓋ロック装置の駆動を制御する蓋ロック制御装置とを備えたものである。なお、蓋ロック制御装置はパスワード入力装置により入力されたパスワードの履歴を記憶し、先行して入力されたパスワードが正しかった場合には、パスワード入力装置が接続されたことに応答して、前記蓋ロック装置によるロックが解除されるように、前記蓋ロック装置の駆動を制御するようにしてもよい。これにより、設定値の選択を行うたびに、パスワードを入力する手間を省略でき、設定値を選択する際の作業を効率よく行うことができる。
【０００９】
また、前記蓋ロック制御装置は、前記操作選択蓋が閉じ位置に移動したことに応答して前記操作選択蓋をロックすることが好ましい。
【００１０】
また、前記蓋ロック制御装置は、前記操作選択蓋が前記開き位置に位置することを示す信号及び前記操作選択蓋が前記閉じ位置に位置することを示す信号の少なくとも何れか一方の信号を前記遊技実行処理装置に入力し、前記遊技実行処理装置は、前記蓋ロック制御装置から入力された信号に応答して、前記操作選択蓋が前記開き位置に位置することを判定した場合に、前記遊技実行処理を中止することが好ましい。
【００１１】
本発明の設定選択許可装置は、遊技を行うことを可能にする遊技実行処理を実行する遊技実行処理装置と、遊技者に利益を付与する複数の確率のそれぞれに対応づけられた複数の設定値のいずれかを設定するための操作を行う設定選択操作部を有し、前記設定選択操作部で設定された設定値を前記遊技実行処理装置に入力する設定選択装置とを備えた遊技機に用いられ、前記設定選択操作部を覆い、前記設定選択操作部の操作を不能にする閉じ位置と、前記設定選択操作部を露呈し、前記設定選択操作部の操作を可能にする開き位置との間で、前記遊技実行処理装置に移動自在に取り付けられる操作選択蓋と、前記操作選択蓋を前記閉じ位置でロックする蓋ロック装置と、前記蓋ロック操作装置によるロックを解除するためのパスワードが入力されるパスワード入力装置と、前記パスワード入力装置が接続され、前記パスワード入力装置により入力されたパスワードが正しい場合に、前記蓋ロック装置によるロックが解除されるように、前記蓋ロック装置の駆動を制御する蓋ロック制御装置とを備えたものである。
【発明の効果】
【００１２】
本発明の遊技機は、入力されたパスワードが正しい場合に、設定選択操作部の操作を不能にする閉じ位置でロックされた操作選択蓋のロックが解除され、操作選択蓋を設定選択操作部の操作を可能にする開き位置に移動することが可能になり、入力されたパスワードが間違っている場合に、操作選択蓋を閉じ位置から開き位置に移動させることができずに前記設定選択操作部の操作が不能となるので、不正に設定値を設定するゴト行為を防止することができる。
【００１３】
また、蓋ロック制御装置は、前記操作選択蓋が閉じ位置に移動したことに応答して前記操作選択蓋をロックするので、操作選択蓋をロックするための操作を省略でき、設定値を設定する際の作業を効率よく行うことができる。
【００１４】
また、前記蓋ロック制御装置は、前記操作選択蓋が前記開き位置に位置することを示す信号及び前記操作選択蓋が前記閉じ位置に位置することを示す信号の少なくとも何れか一方の信号を前記遊技実行処理装置に入力し、前記遊技実行処理装置は、前記蓋ロック制御装置から入力された信号に応答して、前記操作選択蓋が前記開き位置に位置することを判定した場合に、前記遊技実行処理を中止するので、不正に操作選択蓋を閉じ位置に移動させて設定値の変更を行った後に遊技を行うことを防止することが可能になり、ゴト行為を行った遊技者が利益を得ることを防止できる。
【００１５】
本発明の設定選択許可装置は、入力されたパスワードが正しい場合に、設定選択操作部の操作を不能にする閉じ位置でロックされた操作選択蓋のロックが解除され、操作選択蓋を設定選択操作部の操作を可能にする開き位置に移動することが可能になるので、入力されたパスワードが間違っている場合に、操作選択蓋を閉じ位置から開き位置に移動させることができずに前記設定選択操作部の操作が不能となるので、不正に設定値を設定するゴト行為を防止することができる。また、従来の遊技機に設定選択許可装置を取り付けることを可能にすれば、遊技機に変更を加えずに、ゴト行為を防止することができ、遊技機を製造する際のコストが増加することを防止できる。
【発明を実施するための最良の形態】
【００１６】
図１に示すように、スロットマシン１０は、収納箱１１と収納箱１１の前面に設けられた前面扉１２とからなる筐体１３を備えている。前面扉１２は上部に設けられた上部扉１２ａと下部に設けられた下部扉１２ｂとからなる。上部扉１２ａには表示窓１４が設けられている。表示窓１４の奥には第１リール１５ａ、第２リール１５ｂ、第３リール１５ｃを有するリールユニットが設けられている。第１〜第３リール１５ａ〜１５ｃの外周面には複数種類の図柄が配列されており、リールが停止すると表示窓１４を通して１リール当たり３個の図柄が外部に表示される。スロットマシン１０では、各リールの図柄を１個ずつ組み合わせた直線状の入賞ラインが横に３本、斜めに２本の合計５本設定されている。表示窓１４の側方には液晶表示装置１６が設けられており、例えば、アニメーションを利用して当選した当選役の種類を報知するなど遊技上の様々な演出を行う。
【００１７】
表示窓１４の下方には、数字や特定のアルファベットを表示する表示装置１７が設けられている。スロットマシン１０では、互いに遊技者にメダルが払い出される確率が異なる６段階のペイアウト率（遊技者に利益を付与する複数の確率）のうちのいずれかのペイアウト率のもとで遊技が実行される。周知のように、６段階のペイアウト率にはそれぞれに予め定められた６種類の設定値が対応づけられている。この設定値は設定１〜６で構成されており、設定１→設定２→設定３→設定４→設定５→設定６の順にペイアウト率が高くなっていくように、各ペイアウト率との対応付けが行われている。表示装置１７からは、設定値の表示や通常モードよりも遊技者に利益が付与される確率が高くなるビックボーナス（ＢＢ）モードで遊技が行われた回数などが表示される。
【００１８】
下部扉１２ｂには遊技の開始時に操作されるメダルが１枚づつ投入される１ベットボタン１８、メダル上限の投入枚数である３枚が一度に投入されるＭＡＸベットボタン１９、クレジットされているメダルを払い出させるペイアウトボタン２０などの各種操作ボタン、遊技を行う際にメダルを投入するためのメダル投入口２１、第１〜第３リール１５ａ〜１５ｃの回転の開始及び設定値の設定時に選択した設定値を確定させる際に押下されるスタートレバー２２、回転するリールをそれぞれ停止させるための第１〜第３ストップボタン２３〜２５などが設けられている。また、下部扉１２ｂにはメダル受け皿２６が設けられており、このメダル受け皿２６には、入賞が得られたときに得られるメダルが払い出し口２７から払い出される。
【００１９】
下部扉１２ｂの前面の側方にはシリンダー２７が設けられている。シリンダー２７に専用の鍵であるドアキーを差し込んで回転させると下部扉１２ｂの施錠が解除される。これにより、下部扉１２ｂを回動させることが可能になる。また、下部扉１２ｂを回動させて収納箱１１の前面の下部を開放した状態で収納箱１１と上部扉１２ａとの係合を解除すると、上部扉１２ａを回動させることが可能になる。
【００２０】
図２に示すように、スロットマシン１０の内部には、メダルをメダル受け皿２６に払い出すホッパー装置４０及び設定値の設定を行う設定選択装置４１が設けられている。ホッパー装置４０にはメダルを貯留するための貯留タンク４０ａが設けられ、貯留タンク４０ａの下にはオーバーフロー用の貯留箱４０ｂが設けられている。
【００２１】
設定選択装置４１は下部扉１２ｂの奥に設けられており、下部扉１２ｂを回動させると、設定選択装置４１が露呈して設定値の設定を行うことが可能になる。設定選択装置４１は、その外装が板を折り曲げることによって箱状に形成されている。なお、詳しくは後述するように、設定値は、設定変更許可装置７４（図６参照）のパスワード入力装置４３によって入力された例えば４桁のパスワードが正しかった場合に、操作選択シャッター５１（図４参照）のロックが解除されて設定を行うことが可能となる。
【００２２】
図３に示すように、設定選択装置４１の前面には、設定値の設定を行うか否かを切り替えるための設定選択キーシリンダ４１ａと、スロットマシン１０の電源のＯＮ／ＯＦＦを切り替える電源スイッチ４１ｂと、設定値を選択するための設定値選択ボタン４１ｃ、パスワード入力装置４３が接続されるコネクタ４１ｄが設けられている。
【００２３】
設定選択キーシリンダ４１ａは設定選択装置４１の前面より一段凹んだ位置にその前面が位置するように、設定選択装置４１に取り付けられている。設定選択キーシリンダ４１ａには設定選択キー４２が差し込まれる。なお、設定選択キーシリンダ４１ａと設定選択キー４２とは設定選択操作部を構成する。
【００２４】
電源スイッチ４１ｂをＯＮにして設定選択キー４２がＯＦＦ位置からＯＮ位置に回動されると設定値選択ボタン４１ｃの操作が有効化され、設定値の設定を行うことが可能になる。設定値選択ボタン４１ｃを押下すると設定値が選択される。設定値選択ボタン４１ｃが１回操作されるごとに、６段階の設定値が設定１→設定２→設定３→設定４→設定５→設定６→設定１・・・の順番で一巡するように順次に選択されていく。設定値選択ボタン４１ｃで設定値の選択が終了した後にスタートレバー２２が押下されると選択された設定値が確定される。
【００２５】
コネクタ４１ｄには、パスワード入力装置４３のコネクタ４３ａが接続される。パスワード入力装置４３には、パスワードを入力するための数字入力ボタン４３ｂ、入力したパスワードをクリアするクリアボタン４３ｃ、入力したパスワードを送信する送信ボタン４３ｄ、入力されたパスワードを表示するパスワード表示部４３ｅが設けられている。
【００２６】
数字入力ボタン４３ｂは、それぞれの数字の「１」〜「９」に対応しており、パスワードを入力する際に押下される。クリアボタン４３ｃを押下すると入力したパスワードがクリアされ、再度パスワードを入力することが可能な状態となる。送信ボタン４３ｄは、入力したパスワードを確定し、確定したパスワードを送信する場合に押下される。パスワード表示部４３ｅは液晶パネルからなる。パスワード表示部４３ｅからは、数字入力ボタン４３ｂが押下されるたびに入力された数字が表示される。
【００２７】
図４に示すように、設定選択装置４１の前面の内壁には移動用ソレノイド５０が取り付けられている。移動用ソレノイド５０は移動用ソレノイド５０内から突出することが可能に設けられた駆動鉄心５０ａを備えている。移動用ソレノイド５０は、駆動鉄心５０ａが駆動する駆動方向（図中矢印Ａ方向）と、設定選択キー４２が差し込まれる方向（図中矢印Ｂ方向）とが直交するように配置されている。
【００２８】
駆動鉄心５０ａの先端には操作選択シャッター（操作選択蓋）５１が連結されている。操作選択シャッター５１は板状に形成されており、設定選択キーシリンダ４１ａの前面を覆うことが可能な大きさに形成されている。なお、図中の破線部分は設定選択キー４２が差し込まれるキー溝４１ｅを示している。
【００２９】
設定選択装置４１の内壁面で駆動鉄心５０ａと対面する部分には、操作選択シャッター５１が進入することが可能な大きさに形成され、互いに対面する一対のスリット５２が設けられている。移動用ソレノイド５０が駆動され、駆動鉄心５０が突出すると、操作選択シャッター５１は一方のスリット（図４中左側のスリット）５２から外部に突出し、その先端部が他方のスリット（図４中右側のスリット）５２から設定選択装置４１内に進入する。これにより、設定選択キーシリンダ４１ａの前面が覆われる。
【００３０】
操作選択シャッター５１は、設定選択キーシリンダ４１ａを覆って、設定選択キーシリンダ４１ａのキー溝４１ｅに設定選択キー４２を差し込むことが不能になる位置、すなわち、設定選択キーシリンダ４１ａの操作が不能になる閉じ位置（図５に示す位置）と、設定選択キーシリンダ４１ａを露呈して、設定選択キーシリンダ４１ａのキー溝４１ｅに設定選択キー４２を差し込むことが可能になる位置、すなわち、設定選択キーシリンダ４１ａの操作が可能になる開き位置（図４に示す位置）との間で移動される。操作選択シャッター５１が閉じ位置に位置するときは、操作選択シャッター５１が閉じ位置で保持されるように移動用ソレノイド５０の駆動制御が行われ、操作選択シャッター５１は閉じ位置から開き位置に移動することが不能となるようにロックされた状態となる。
【００３１】
また、設定選択装置４１の内壁面で、操作選択シャッター５１が閉じ位置に移動する際に進入するスリット５２の近傍には、シャッター検知センサ５３が設けられている。シャッター検知センサ５３は投光部５３ａと受光部５３ｂとからなり、投光部５３ａと受光部５３ｂとはスリット５２を挟んで互いに対面するように取り付けられている。投光部５３ａから投光された光は受光部５３ｂで受光される。投光部５３ａと受光部５３ｂと間に操作選択シャッター５１が進入すると、投光部５３ａから投光された光が遮られて操作選択シャッター５１が閉じ位置に位置することが検知される。投光部５３ａと受光部５３ｂと間から操作選択シャッター５１が退避すると、投光部５３ａから投光された光を受光部５３ｂが受光し、操作選択シャッター５１が開き位置に位置することが検知される。
【００３２】
また、設定選択装置４１の内壁面には移動用ソレノイド５０とは別個にロック用ソレノイド（蓋ロック装置）５４が取り付けられている。ロック用ソレノイド５４は、移動用ソレノイド５０と同一のものが用いられており、その内部に駆動鉄心５４ａを備えている。ロック用ロック用ソレノイド５４は、移動用ソレノイド５０の駆動鉄心５０ａの駆動方向と直交する方向で設定選択キー４２が差し込まれる方向と反対の方向（図中矢印Ａ’方向）に駆動鉄心５４ａが駆動するように配置されている。
【００３３】
また、移動用ソレノイド５０の駆動鉄心５０ａには、駆動鉄心５０ａが移動用ソレノイド５０から突出した状態、すなわち、操作選択シャッター５１が開き位置に位置する状態で、駆動鉄心５４ａと対面する位置に孔５０ｂが形成されている。孔５０ｂは駆動鉄心５４ａを挿通することが可能な大きさに形成されている。そして、駆動鉄心５４ａは、操作選択シャッター５１が閉じ位置に位置するときに孔５０ｂに挿通されて、操作選択シャッター５１を閉じ位置でロックするロック位置（図５に示す位置）と、操作選択シャッター５１が開き位置に位置するときに孔５０ｂから退避して、操作選択シャッター５１のロックを解除するロック解除位置（図４に示す位置）との間で移動する。
【００３４】
図６に示すように、スロットマシン１０の作動は基本的にＣＰＵ（遊技実行処理装置）６０及びメモリ６１を含む制御部６２によって管制される。制御部６２にはＣＰＵ６０及びメモリ６１の他、後述する電子抽選部７０、当選役決定部７１が設けられている。
【００３５】
メダルセンサ６３はメダル投入口２１から投入された適正なメダルを検知し、ＣＰＵ６０に入力する。メダル投入口２１の奥にはセレクタが組み込まれ、不適正なメダルはメダル受け皿２０に排出される。また、セレクタは不適切なタイミングでメダルの投入が行われたとき、例えば遊技の途中や各種の操作ボタンが押されたままの状態で投入されたメダルについても、メダルセンサ６３を経由させずにメダル受け皿２０に排出する。
【００３６】
なお、遊技の開始に先立って投入するメダルの枚数は１〜３枚に限られているため、クレジット機能を用いていないときには４枚目以降に投入されたメダルもメダルセンサ６３で検知されることなくメダル受け皿２６に排出される。クレジット機能のオン／オフはペイアウトボタンの１プッシュごとに切替えられる。そして、クレジット機能がオン状態のときには４枚目以降に投入されたメダルもメダルセンサ６３で検知され、５０枚を限度にスロットマシン内部にクレジットされる。
【００３７】
クレジットされたメダルの枚数は表示装置１７でデジタル表示される。クレジット機能を用いているときには、１ベットボタン１８やＭＡＸベットボタン１９の操作によりメダルの投入操作が行われ、そのベット枚数がクレジット枚数から逐次に減算される。また、遊技が行われて、メダルの払い出しを伴う入賞が得られたときには配当メダルもクレジットされ、ペイアウトボタンを操作したときにクレジットされたメダルが受け皿２６に払い出される。
【００３８】
ＣＰＵ６０は、遊技の開始に先立って投入された１〜３枚のメダルの枚数をメダルセンサ６３からの検知信号に基づいて計数し、これにより入賞有効ラインの有効化本数を決定する。なお、クレジット枚数は図示を省略した別のクレジットメダルカウンタで計数される。
【００３９】
スタート信号センサ６４は１〜３枚のメダルが投入された後、スタートレバー２２が操作されたときに遊技スタート信号をＣＰＵ６０に入力する。遊技スタート信号を受けて、ＣＰＵ６０はメモリ６１のＲＯＭ領域に格納されたプログラムに基づいて第１〜第３リール１５ａ〜１５ｃを回転させるとともに遊技の処理を開始する。なお、メモリ６１のＲＯＭ領域に格納されたプログラムには、設定値の設定を実行するためのプログラムも含まれている。また、メモリ６１のＲＡＭ領域はワーキングエリアとなっており、毎回の遊技ごとに利用されるフラグやデータなどの一時的保管や書き換えなどに用いられる。
【００４０】
第１〜第３リール１５ａ〜１５ｃの回転及び停止制御は、ＣＰＵ６０及びリール駆動コントローラ６５によって行われる。第１〜第３リール１５ａ〜１５ｃは個別のステッピングモータ６６ａ〜６６ｃの駆動軸に固着され、各ステッピングモータ６６ａ〜６６ｃの駆動を制御することにより第１〜第３リール１５ａ〜１５ｃの回転及び停止制御が行われる。
【００４１】
ステッピングモータ６６ａ〜６６ｃは供給された駆動パルスの個数に応じた回転角で回転するから、ＣＰＵ６０により駆動パルスの供給個数を制御することによって第１〜第３リール１５ａ〜１５ｃの回転角を制御することができ、また駆動パルスの供給を絶つことによりリールの停止位置を決めることができる。また、第１〜第３リール１５ａ〜１５ｃには、その基準位置に反射信号部６７ａ〜６７ｃが一体に形成され、その一回転ごとにフォトセンサ６８ａ〜６８ｃがそれぞれの反射信号部の通過を光電検出する。フォトセンサ６８ａ〜６８ｃによる検知信号は、第１〜第３リール１５ａ〜１５ｃごとのリセット信号としてＣＰＵ６０に入力される。
【００４２】
ＣＰＵ６０内にはステッピングモータ６６ａ〜６６ｃごとにパルスカウンタが設けられ、各々のステッピングモータ６６ａ〜６６ｃに供給された駆動パルスの個数を計数する。そして、フォトセンサ６８ａ〜６８ｃからリセット信号が入力されたときに、対応するパルスカウンタのカウント値をクリアする。したがって、それぞれのパルスカウンタには、各リールの１回転内の回転角に対応した駆動パルスの個数が逐次に更新しながら保存されることになる。
【００４３】
メモリ６１のＲＯＭ領域には図柄テーブルが格納され、図柄テーブルには、各リールの基準位置からの回転角に対応した駆動パルスの個数と、リールに一定ピッチで配列されたそれぞれの図柄を表す図柄コードとが対応づけられている。したがって、リールごとにパルスカウンタのカウント値を監視することによって、例えば中央の入賞有効ライン上にどの図柄が移動してきているのかを識別することができ、また、さらにどの程度リールを回転させれば目的の図柄がその入賞有効ライン上に移動してくるのかを予測することができる。
【００４４】
ストップボタンセンサ６９ａ〜６９ｃは、ストップボタン２３〜２５が操作されたときにＣＰＵ６０にリールごとのストップ信号を入力する。スタートレバー２２を操作して全リールの回転が始まり、これらの回転が定常速度に達した時点でストップボタン２３〜２５の操作が有効化される。その後、これらを操作することによってそれぞれ対応する第１〜第３リール１４ａ〜１４ｃの停止制御が開始される。
【００４５】
第１〜第３リール１４ａ〜１４ｃの停止制御は、図柄５個分の０〜４コマの範囲（引き込み範囲）内で行われ、例えばストップボタン２３〜２５が操作されたときに、入賞有効ライン上に位置している図柄から連続する４個の図柄の中に、抽選で当選された当選役を構成する図柄が含まれている場合には、第１〜第３リール１４ａ〜１４ｃが停止するまでの時間が遅らせられ、当選役を構成する図柄が入賞有効ライン上に停止するように第１〜第３リール１４ａ〜１４ｃの停止制御が行われる（引き込み制御）。
【００４６】
ＣＰＵ６０は、遊技スタート信号を受けて電子抽選部７０を作動させる。電子抽選部７０は乱数発生器と乱数値のサンプリング回路とを含み、遊技が開始されるごとに１つの乱数値を抽選する。抽選された乱数値は当選役決定部７１に入力される。当選役決定部７１では、入力された値に応じて現在実行された遊技でどのような当選役を与えるかを決定する。
【００４７】
ＣＰＵ６０は、決定された当選役の種類に応じて規定枚数のメダルをホッパー装置４４にメダルを払い出させるか、あるいはクレジットカウンタにその規定枚数を加算する。当選役の種類ごとに払い出すメダルの枚数を決めた配当テーブルはメモリ６１のＲＯＭ領域に格納されており、ＣＰＵ６０がこれを読み取ってホッパー装置４４を駆動する。これにより、メダルの払い出しが行われる。
【００４８】
当選役決定部７１には、電子抽選部７０の乱数発生器で発生される全乱数値を、複数の数値範囲にグループ分けし、それぞれのグループに当選役を割り当てた複数の当選テーブルが設けられている。第１当選テーブル７２は、通常モードよりも遊技者に利益が付与される確率が高くなるＢＢモードに移行する権利を与えるＢＢ、所定枚数のメダルの払出しを行う小役、メダルの投入なしに同じベット数で次回の遊技を行う権利を与えるリプレイなどの当選役、及びハズレが割り当てられており、通常モードでの遊技でサンプリングされた乱数値がいずれのグループに属しているかの判定に用いられる。そして、サンプリングされた乱数値がいずれの当選役が割り当てられたグループに属した値であるかによって当選となる当選役の種類と入賞が可能になる図柄が決められる。なお、小役は複数種類あり、それぞれの種類ごとに払い出すメダルの枚数が割り当てられている。
【００４９】
第１当選テーブル７２には、６段階の設定値に対応づけられた第１〜第６設定テーブル７３ａ〜７３ｆが設けられている。第１〜第６設定テーブル７３ａ〜７３ｆは、上述した当選役及びハズレの当選確率が互いに異なるように乱数値のグループ分けが行われている。このため、電子抽選部７０でサンプリングされた乱数値を第１〜第６設定テーブル７３ａ〜７３ｆの中のいずれのテーブルと照合するかによってスロットマシン１０のペイアウト率が変化する。
【００５０】
第１〜第６設定テーブル７３ａ〜７３ｆは、第１設定テーブル７３ａが最もペイアウト率が低く、第２、第３、第４、第５、第６設定テーブルの順にペイアウト率が高くなるように当選役及びハズレの当選確率が設定されている。そして、設定１が設定されているときには第１設定テーブル７３ａ、設定値２が設定されているときには第２設定テーブル７３ｂ、設定値３が設定されているときには第３設定テーブル７３ｃ、設定値４が設定されているときには第４設定テーブル７３ｄ、設定値５が設定されているときには第５設定テーブル７３ｅ、設定値６が設定されているときには第６設定テーブル７３ｆが用いられる。
【００５１】
なお、詳しくは図示しないが、当選役決定部７１には、第１当選テーブル７２の他に、ＢＢモードで用いられるテーブルやＢＢが内部入賞している遊技で用いられるテーブルなどが設けられている。当選役決定部７１でハズレ又は当選役が決定されると、決定されたハズレ又は当選役の種類を示す当選役決定信号がＣＰＵ６０に入力される。
【００５２】
設定選択キー４２がＯＮ位置に回動されて電源スイッチ４８がＯＮされると、ＣＰＵ６０は設定値選択ボタン４１ｃの操作を有効化する。これにより、設定値の設定を行うことが可能な状態になる。設定値選択ボタン４１ｃが操作されて設定値の選択が行われると、設定値選択ボタン４１ｃの操作信号がＣＰＵ６０に入力される。
【００５３】
図７に示すように、この操作信号に応答して、ＣＰＵ６０は、設定値選択ボタン４１ｃで選択された設定値を表示装置１７から表示させるように表示装置１７を制御する。設定値の表示は、例えば、設定１が設定されているときには「−１−」、設定２が設定されているときは「−２−」、設定３が設定されているときは「−３−」、設定４が設定されているときは「−４−」、設定５が設定されているときは「−５−」、設定６が設定されているときは「−６−」と表示装置１７から表示される。ＣＰＵ６０は、設定値選択ボタン４１ｃが押下されるごとにこれらの表示を、「−１−」→「−２−」→「−３−」→「−４−」→「−５−」→「−６−」→「−１−」→・・・の順番で設定値の表示を切り替える。
【００５４】
また、ＣＰＵ６０は、設定値選択ボタン４１ｃの操作信号に応答して、設定値選択ボタン４１ｃで選択された設定値に対応する第１〜第６設定テーブル７３ａ〜７３ｆを識別する。そして、スタートレバー２２が押下されると、設定された設定値に対応する第１〜第６設定テーブル７３ａ〜７３ｆの種類をメモリ６１のＲＡＭ領域に書き込み、設定された設定値を確定させる。これにより、設定値の設定が完了する。遊技が行われると、ＣＰＵ６０は電子抽選部７０でサンプリングされた乱数値を照合する設定テーブルの種類をメモリ６１のＲＡＭ領域を参照して識別し、識別した第１〜第６設定テーブル７３ａ〜７３ｆと乱数値の照合を行う。
【００５５】
設定選択許可装置７４は、設定選択許可装置７４の動作を管制する制御基板７５、パスワード入力装置４３、移動用ソレノイド５０、操作選択シャッター５１、シャッター検知センサ５３、ロック用ソレノイド５４を備えている。
【００５６】
制御基板７５には、ＣＰＵ（蓋ロック制御装置）７６及びメモリ７７が設けられている。ＣＰＵ７６はメモリ７７に格納されたプログラムを読み出すことによって設定選択許可装置７４の動作を管制する。メモリ７７はＲＯＭ領域とＲＡＭ領域とを備えており、ＲＯＭ領域には設定選択許可装置７４を動作させるためのプログラムが書き込まれている。ＲＡＭ領域は、入力されたパスワードに書き込みや入力されたパスワードが正しいことを示す正解フラグの書き込みなど、一時的な作業領域として使用される。ＣＰＵ７６には、パスワード入力装置４３、移動用ソレノイド５０、シャッター検知センサ５３が接続されている。
【００５７】
ＣＰＵ７６には、パスワード入力装置４３で送信ボタン４３ｄが押下されると、確定されたパスワードを示す信号が入力される。メモリ７７のＲＯＭ領域には、正規のパスワードが書き込まれており、ＣＰＵ７６はメモリ７７に書き込まれているパスワードを読み出すことによって、パスワード入力装置４３から送信されたパスワードが正しいか否かを識別する。また、ＣＰＵ７６はパスワード入力装置４３への通電が可能になったか否かを識別することによって、パスワード入力装置４３が接続されたか否かも識別している。そして、ＣＰＵ７６は、送信されたパスワードが正しいか否か又はパスワード入力装置４３が接続されたか否かによって移動用ソレノイド５０及びロック用ソレノイド５４の駆動制御を行う。
【００５８】
なお、メモリ７７に記憶させる正規のパスワードは例えばパスワード入力装置４３で所定の操作を行うことによって任意に設定できるようにしてもよい。この場合、メモリ７７のＲＡＭ領域に正規のパスワードを書き込み、正規のパスワードが変更されたときには、メモリ７７に書き込まれているパスワードを新たなパスワードに書き換えればよい。これにより、パスワードの管理者以外の者によってパスワードが解析されることを防止することが可能になり、ゴト行為を確実に防止することができる。
【００５９】
また、ＣＰＵ７６には、シャッター検知センサ５３の受光部５３ｂがオン（投光部５３ａからの光を受光している状態）又はオフ（投光部５３ａからの光を受光していない状態）のいずれであるかを示す信号が入力される。ＣＰＵ７６は、受光部５３ｂがオンのときには、操作選択シャッター５１が開き位置に位置することを識別し、受光部５３ｂがオフのときには、操作選択シャッター５１が閉じ位置に位置することを識別する。
【００６０】
ＣＰＵ７６は、制御部６２のＣＰＵ６０に接続されており、操作選択シャッター５１が開き位置に位置することを識別した場合は、遊技の実行を中止することを示す遊技中止信号をＣＰＵ６０に入力する。ＣＰＵ６０は、遊技中止信号が入力されている期間は、メダルの投入を受け付けずに遊技を行うことを不可能な状態（メダルセンサ６３からの信号を受け付ける状態）にして、遊技実行処理を中止する。
【００６１】
次に、上記のように構成されたスロットマシン１０の作用について説明する。図８及び図９に示すように、スロットマシン１０で設定値の選択を行うには、先ず、シリンダー２７に専用のキーを差し込んで回動させる。そして、下部扉１２ｂの施錠を解除し、下部扉１２ｂを回動させる。これにより、収納箱１１の前面が開放され、設定選択装置４１が露呈される。
【００６２】
そして、電源スイッチ４１をＯＮにし、パスワード入力装置４３のコネクタ４３ａをコネクタ４１ｄに接続する。パスワード入力装置４３が接続されたことを識別すると、ＣＰＵ７６はメモリ７７のＲＡＭ領域にパスワードの正解フラグが書き込まれているか否かを識別する。パスワードの正解フラグが書き込まれていない場合は、初めてパスワードが入力されること又は前回入力したパスワードが間違っていたことがＣＰＵ７６によって認識される。
【００６３】
作業者はパスワード入力装置４３によってパスワードを入力する。数字入力ボタン４３ｂによって４桁のパスワードを入力した後に送信ボタン４３ｄを押下して入力したパースワードを確定する。パスワードが確定されると、パスワード入力装置４３はＣＰＵ７６に確定されたパスワードを示す信号を送信する。これに応答して、ＣＰＵ７６は送信されたパスワードを識別するとともに、メモリ７７に書き込まれている正規のパスワードを読み出し、送信されたパスワードと正規のパスワードとをと比較する。
【００６４】
パスワード入力装置４３から送信されたパスワードが間違っている場合は、ＣＰＵ７６は移動用ソレノイド５０及びロック用ソレノイド５４を駆動せず、駆動鉄心５４ａがロック位置に位置したままとなって操作選択シャッター５１は閉じ位置でロックされた状態となる。
【００６５】
パスワード入力装置４３から送信されたパスワードが正しい場合、ＣＰＵ７６は正解フラグをメモリ７７のＲＡＭ領域に書き込み、ロック用ソレノイド５４を駆動する。ロック用ロック用ソレノイド５４が駆動されると、駆動鉄心５４ａがロック位置からロック解除位置に移動する。これにより、操作選択シャッター５１のロックが解除された状態となる。この後、ＣＰＵ７６は移動用移動用ソレノイド５０を駆動する。移動用ソレノイド５０が駆動されると駆動鉄心５０ａが移動用ソレノイド５０内に引き込まれ、操作選択シャッター５１は閉じ位置から開き位置に移動する。また、ＣＰＵ７６はＣＰＵ６０に遊技中止信号を入力する。ＣＰＵ６０はメダルの投入を受け付けず、遊技実行処理を中止した状態とする。これにより、設定値を選択するための操作が可能になる。
【００６６】
この後、設定選択キーシリンダ４１ａに設定選択キー４２を差し込んでＯＮ位置に回動する。これに応答して、ＣＰＵ６０は、メモリ６１のＲＯＭ領域に格納された設定値の設定を実行するためのプログラムを読み出して表示装置１７を駆動させる。表示装置１７からは設定中の設定値が表示される。この状態で、設定値選択ボタン４１ｃが押下されると、設定値選択ボタン４１ｃが１回押下されるごとに表示装置１７に表示されている設定値の表示が切り替わる。設定値の選択が終了した後に、スタートレバー２２を押下すると、選択された設定値が確定される。そして、設定選択キー４２をＯＦＦ位置に回動すると設定値の設定が完了する。
【００６７】
設定値の設定の完了後、パスワード入力装置４３が取り外されてパスワード入力装置４３への通電が不可能になると、ＣＰＵ７６がこれを識別して移動用ソレノイド５０を駆動する。移動用ソレノイド５０が駆動されると、駆動鉄心５０ａが移動用ソレノイド５０内から突出し、操作選択シャッター５１が開き位置から閉じ位置に移動する。操作選択シャッター５１が閉じ位置に移動するとシャッター検知センサがオンになる。これに応答して、ＣＰＵ７６はロック用ソレノイド５４を駆動して、駆動鉄心５４ａをロック解除位置からロック位置に移動させる。駆動鉄心５４ａは駆動鉄心５０ａの孔５０ｃに挿通される。これにより、操作選択シャッター５１が閉じ位置でロックされる。また、シャッター検知センサがオンになると、ＣＰＵ７６はＣＰＵ６０に遊技中止信号を入力することを中止する。ＣＰＵ６０は遊技を実行するためのプログラムをメモリ６１のＲＯＭ領域から読み出し、メダルの投入が可能な状態（メダルセンサ６３からの信号を受け付ける状態）として遊技実行処理を開始する。
【００６８】
なお、次回以降に設定値の設定を行う際に、メモリ７７のＲＡＭ領域にパスワードの正解フラグが書き込まれている場合、ＣＰＵ７６はパスワードが送信される前に移動用ソレノイド５０を駆動して、操作選択シャッター５１を閉じ位置から開き位置に移動させる。これにより、次回以降に設定値を設定する場合は、パスワード入力装置４３を接続するだけで設定値の設定を行うことが可能になり、作業を効率良く行うことができる。
【００６９】
上記実施形態では、パスワード入力装置４３によって４桁のパスワードを入力されるが入力されるパスワードの桁数及びパスワードの態様は適宜に設定してよい。
【００７０】
上記実施形態では、移動用ソレノイド５０を用いて操作選択蓋である操作選択シャッター５１を閉じ位置と開き位置とで移動させたが、操作選択蓋を閉じ位置と開き位置とで移動させるための機構は適宜の機構にしてよい。次に、上記実施形態とは異なる機構を用いた場合の例について説明する。なお、上記実施形態と同一の部材については同一の符号を用いて説明を省略する。
【００７１】
図１０に示すように、設定選択装置８０は上記実施形態の設定選択装置４１と同様の機能を有し、その前面が平面となるように形成されている。設定選択装置８０には、設定選択キーシリンダ４１ａが互いの前面が面一となるように取り付けられている。設定選択装置８０には、設定選択許可装置８１が取り付けられている。設定選択許可装置８１は、ＣＰＵ７６、設定選択キーシリンダ４１ａの前面を覆う操作選択蓋８２、操作選択蓋８２の位置を検出する位置検出スイッチ８３、操作選択蓋８２をロックするロック部材８５を備えている。
【００７２】
操作選択蓋８２は、板状の部材を設定選択キーシリンダ４１ａの前面を覆うことが可能な大きさに折り曲げることによって形成され、一方の端部が設定選択装置８０の前面に軸８２ａによって軸支されている。そして、操作選択蓋８２は、設定選択キーシリンダ４１ａを覆って、設定選択キーシリンダ４１ａの操作を不能にする閉じ位置（図１０に示す位置）と、設定選択キーシリンダ４１ａを露呈して、設定選択キーシリンダ４１ａの操作を可能にする開き位置（図１１に示す位置）との間で軸８２ａを中心に回動自在となっている。操作選択蓋８２は開き位置に向けて設定選択装置８０の内側からバネ８４によって図中矢印Ｃに示す方向に付勢されている。操作選択蓋８２の軸８２ａ側の端部と反対側の端部には、三角形状の係止爪８２ｂが形成されている。設定選択装置８０の前面で設定選択キーシリンダ４１ａの側方には孔８０ａが形成されている。操作選択蓋８２が閉じ位置に位置する場合には、係止爪８２ｂは孔８０ａから設定選択装置８０内に進入した状態となり、孔８０ａは操作選択蓋８２によって覆われた状態となる。
【００７３】
位置検出スイッチ８３は設定選択装置８０に取り付けられており、操作選択蓋８２が閉じ位置に位置する状態でオンされる位置に配置されている。位置検出スイッチ８３のオン又はオフを示す信号はＣＰＵ７６に入力される。ＣＰＵ７６は位置検出スイッチ８３からの信号の種類に応じて移動用ソレノイド５０の駆動制御を行う。
【００７４】
ロック部材８５は板状の部材で矩形状に形成されており、軸８５ａによって回動自在に軸支されている。ロック部材８５の一方の端部には三角形状の係止爪８５ｂが形成されている。ロック部材８５は、設定選択装置８０の前面と直交する位置に回動したときに、係止爪８５ｂが係止爪８２ｂとが係合するように配置されている。ロック部材８５の係止爪８５ｂが形成されているほうの端部と軸８５ａを挟んで反対側の端部は、バネ８６によって図中矢印Ｄに示す方向に付勢されている。また、操作選択蓋８２を挟んでバネ８６の反対側には、移動用ソレノイド５０が設けられている。移動用ソレノイド５０は駆動鉄心５０ａがロック部材８５と対面するように配置されている。
【００７５】
設定値の設定が行われる際にパスワード入力装置４３によって正しいパスワードが入力される前は、移動用ソレノイド５０の駆動鉄心５０ａは突出してロック部材８５を押圧した状態となっており、係止爪８２ｂと係止爪８５ｂとの係合によって、操作選択蓋８２がロック部材８５によりロックされた状態となっている。
【００７６】
設定値の設定が行われる際にパスワード入力装置４３によってパスワードが入力され、入力されたパスワードが正しかった場合、ＣＰＵ７６は駆動鉄心５０ａが移動用ソレノイド５０内に引き込まれるように移動用ソレノイド５０の駆動制御を行う。駆動鉄心５０ａが移動用ソレノイド５０内に引き込まれると、バネ８６の付勢によってロック部材８５が反時計方向（図中矢印Ｅに示す方向）に回動する。これにより、係止爪８２ｂと係止爪８５ｂとの係止が解除され、ロック部材８５による操作選択蓋８２のロックが解除される。ロック部材８５によるロックが解除されると、バネ８４の付勢によって操作選択蓋８２が閉じ位置から開き位置に向けて回動する。これにより、設定選択キー４２を設定選択キーシリンダ４１ａのキー溝４１ｅに挿入することが可能になり、設定値の設定を行うことが可能になる。
【００７７】
設定値の設定が完了した後は、作業者は操作選択蓋８２を開き位置から閉じ位置に向けて手動で回動させる。操作選択蓋８２が閉じ位置まで回動されると、位置検出スイッチ８３がオンとなり、ＣＰＵ７６に位置検出スイッチ８３がオンになったことを示す信号が入力される。これに応答して、ＣＰＵ７６は移動用ソレノイド５０を駆動し、駆動鉄心５０ａを突出させる。駆動鉄心５０ａが突出するとロック部材８５がバネ８６の付勢力に抗して時計方向（図中矢印Ｄに示す方向）に回動する。駆動鉄心５０ａが突出し終えると、係止爪８２ｂと係止爪８５ｂとが係止し、操作選択蓋８２は閉じ位置でロックされる。
【図面の簡単な説明】
【００７８】
【図１】スロットマシンの外観を示す斜視図である。
【図２】スロットマシンの内部構成を示す斜視図である。
【図３】設定選択装置の前面を示した斜視図である。
【図４】操作選択シャッターが開き位置に位置する状態を示す断面図である。
【図５】操作選択シャッターが閉じ位置に位置する状態を示す断面図である。
【図６】スロットマシンの電気的な構成の概略を示したブロック図である。
【図７】選択された設定値と表示された設定値との関係を示す説明図である。
【図８】設定値の変更の流れを示すフローチャートである。
【図９】設定値の変更の流れを示すフローチャートである。
【図１０】別な構成の設定選択許可装置の操作選択蓋が閉じ位置に位置する状態を示す断面図である。
【図１１】別な構成の設定選択許可装置の操作選択蓋が開き位置に位置する状態を示す断面図である。
【符号の説明】
【００７９】
１０  スロットマシン（遊技機）
１７  表示装置
４１  設定選択装置
４１ａ  設定選択キーシリンダ
４２  設定選択キー
５０  移動用ソレノイド
５１  操作選択シャッター（操作選択蓋）
５４  ロック用ソレノイド（蓋ロック装置）
６０  ＣＰＵ（遊技実行処理装置）
７４，８１  設定選択許可装置
７６  ＣＰＵ（蓋ロック制御装置）
【図１】
2005323932.tif 000003
【図２】
2005323932.tif 000004
【図３】
2005323932.tif 000005
【図４】
2005323932.tif 000006
【図５】
2005323932.tif 000007
【図６】
2005323932.tif 000008
【図７】
2005323932.tif 000009
【図８】
2005323932.tif 000010
【図９】
2005323932.tif 000011
【図１０】
2005323932.tif 000012
【図１１】
2005323932.tif 000013